(57)【要約】【課題】中枠の強度を低下させることなく、該中枠の裏側に配設した制御装置と、前枠に配設した電気部品とを簡単に接続し得る遊技機を提供する。【解決手段】中枠Ｂに配設した遊技盤１０の所要位置に、遊技盤１０の前後に露出する中継接続部３４を設け、該中継接続部３４に遊技盤１０の裏側に配置したランプ制御装置２０に接続された第１の配線２１のコネクタ受部２１ａを固定する。そして、前記遊技盤１０の前側に配置した発光体基板２３に接続された第２の配線２８のコネクタ差込部２８ａを、遊技盤１０の前面側から前記第１の配線２１のコネクタ受部２１ａに接続することで、前記ランプ制御装置２０と発光体基板２３とを電気的に接続し得るようにした。【選択図】図３
2005052500.tif 000002
【特許請求の範囲】
【請求項１】
所要の遊技領域を画成した遊技盤を、前後に開口させた保持部に保持した中枠と、ヒンジ機構を介して前記中枠の前側に開閉自在に枢支される前枠とを備え、前記前枠に取り付けた電気部品を、機裏側に位置する制御装置に電気的に接続するよう構成した遊技機において、
前記遊技盤における所要位置に中継接続部を設け、
前記制御装置に接続されて遊技盤裏側に臨む第１の配線と、前記電気部品に接続されて遊技盤前側に臨む第２の配線とを、前記中継接続部を介して電気的に接続し得るよう構成した
ことを特徴とする遊技機。
【請求項２】
前記遊技盤には、前記遊技領域の外周側に盤面飾り部材が配設されると共に、該盤面飾り部材に凹状に前記中継接続部が設けられ、該中継接続部に前記第１の配線のコネクタが後側から着脱自在に取り付けられて、該第１の配線のコネクタに、前記第２の配線のコネクタを前側から着脱し得る請求項１記載の遊技機。
【請求項３】
前記盤面飾り部材に、前記中継接続部の前面側を覆うカバー部材を着脱自在に設けた請求項２記載の遊技機。
【発明の詳細な説明】
【技術分野】
【０００１】
本発明は、遊技機に関し、更に詳細には、遊技盤を保持した中枠と、該中枠の前側にヒンジ機構を介して開閉自在に枢支された前枠とを備え、中枠の裏側に配設した制御装置と前枠に配設した電気部品とを電気的に接続するようにした遊技機に関するものである。
【背景技術】
【０００２】
代表的な遊技機であるパチンコ機は、外郭をなす外枠に対し、着脱および開閉可能に中枠が組み付けられると共に、該中枠の前側にガラス板を備えた前枠がヒンジ機構を介して開閉自在に枢支されている。前記中枠は、パチンコ機を構成する各種構成部品の搭載枠として機能し、該中枠に開設した保持部を介して遊技盤が前面側に露出する状態で着脱交換可能に保持されると共に、該中枠の裏側(機裏側)には、パチンコ機を制御する各種の制御装置やパチンコ球が通過する球排出経路部等を組み付けた機構セット盤が配設される。また、機前面側に配置された前記前枠の所要位置には、前記機構セット盤に配設した前記制御装置に電気的に接続されて、該制御装置の制御に基づいて点灯する発光装置が配設されて、パチンコ機の前面側を装飾するよう構成されている。
【０００３】
ところで、前述したように、前記前枠は中枠に対してヒンジ機構を介して回動可能に枢支されることから、一般的に前記発光装置から導出した配線を、ヒンジ機構の形成側から中枠の裏側に導いて前記制御装置に接続するよう構成されている。例えば、中枠におけるヒンジ機構の形成側に前後に貫通する挿通口を開設し、該挿通口を介して前記発光装置から導出した配線を中枠の裏側に挿通して、この配線を前記機構セット盤に形成した中継基板に一旦接続すると共に、この中継基板から別の配線を介して対応の制御装置に接続するよう構成したものが提案されている(例えば、特許文献１参照)。
【特許文献１】特開２００１−３２１５２６号公報
【発明の開示】
【発明が解決しようとする課題】
【０００４】
しかしながら、前述したように、前記発光装置と制御装置とを接続するには、該発光装置から導出した配線を、前記中枠に開設した挿通口に前側から挿通して、前記中継基板側に引き出す必要があり、非常に煩わしい作業を伴うものであり、作業性に優れたものではなかった。また、近年は、前記遊技盤を大型化すると共に、該遊技盤に大型の遊技装置(例えば、図柄表示装置等)を配設して、遊技演出の迫力やインパクトを高め、遊技の面白みを増大させる傾向が強くなっている。このように前記遊技盤の大型化に伴い、前記中枠に対する遊技盤保持部の占める領域が増大し、該中枠の側部における左右方向の厚み寸法は小さくなる。この状態で、前記中枠の側部に挿通口を開設した場合には、中枠全体が必要な強度を維持し得なくなってパチンコ機に歪みや損傷等の不具合が生ずる畏れが指摘される。
そこで、本発明は、中枠の強度を低下させることなく、該中枠の裏側に配設した制御装置と、前枠に配設した電気部品とを簡単に接続し得る遊技機を提供することを目的とする。
【課題を解決するための手段】
【０００５】
前記課題を克服し、所期の目的を達成するために、本願発明に係る遊技機は、
所要の遊技領域(11)を画成した遊技盤(10)を、前後に開口させた保持部(15)に保持した中枠(B)と、ヒンジ機構(18)を介して前記中枠(B)の前側に開閉自在に枢支される前枠(22)とを備え、前記前枠(22)に取り付けた電気部品(23)を、機裏側に位置する制御装置(20)に電気的に接続するよう構成した遊技機において、
前記遊技盤(10)における所要位置に中継接続部(34)を設け、
前記制御装置(20)に接続されて遊技盤(10)裏側に臨む第１の配線(21)と、前記電気部品(23)に接続されて遊技盤(10)前側に臨む第２の配線(28)とを、前記中継接続部(34)を介して電気的に接続し得るよう構成したことを特徴とする。
【０００６】
また、前記遊技盤(10)に、前記遊技領域(11)の外周側に盤面飾り部材(30)を配設すると共に、該盤面飾り部材(30)に凹状に前記中継接続部(34)を設け、該中継接続部(34)に前記第１の配線(21)のコネクタが後側から着脱自在に取り付け、該第１の配線(21)のコネクタ(21a)に、前記第２の配線(28)のコネクタ(28a)を前側から着脱するよう構成することもできる。
【０００７】
更に、前記盤面飾り部材(30)に、前記中継接続部(34)の前面側を覆うカバー部材(41)を着脱自在に設けるようにしてもよい。
【発明の効果】
【０００８】
本発明の請求項１に係る遊技機によれば、遊技盤の所要位置に、機裏側に配設した制御装置と、前枠に配設した電気部品とを接続し得る中継接続部を設けたことで、中枠に電気部品から導出した第２の配線を挿通する挿通口を形成する必要はないから、中枠の強度が低下するのは防止され、当該中枠に歪みや損傷等の不具合が生ずることはない。また、請求項２に係る遊技機によれば、前記中継接続部に、前記制御装置から導出した第１の配線のコネクタを後側から着脱自在に取り付けたから、前記電気部品から導出した第２の配線を前側から簡単に接続することができ、両配線の接続作業を容易に行ない得る。更に、請求項３に係る遊技機によれば、前記中継接続部をカバー部材で覆うようにしたから、遊技盤の装飾性を損なうことはない。
【発明を実施するための最良の形態】
【０００９】
遊技盤におけるヒンジ機構の配設側に設けた中継接続部を介して、遊技盤の裏側に位置する制御装置に接続した第１の配線と、遊技盤の前側に位置する電気部品に接続した第２の配線とを接続し得るようにした。
【実施例】
【００１０】
本発明に係る遊技機につき好適な実施例を挙げて、添付図面を参照しながら、以下詳細に説明する。なお実施例では、遊技機として、パチンコ球を遊技媒体として使用する一般的なパチンコ機を例にして説明する。なお、以下の説明において左・右とは、図２に示すようにパチンコ機Ｐを前側から見た場合において指称する。
【００１１】
先ず本実施例のパチンコ機について、図２を参照して説明する。本実施例のパチンコ機Ｐは、その基本的な概略構成として、外郭をなす外枠Ａの開口前面側に対し、各種構成部品２２,Ｅ,Ｆ,Ｇ,Ｈの搭載枠として機能する中枠Ｂが連結支持手段および施錠手段を利用して着脱および開閉可能に組み付けられている。そして中枠Ｂの前側には、ガラス板Ｄを組み付けた前枠２２と、前枠２２の下方に配設されてパチンコ球(図示せず)を貯留し得る上球皿Ｅと、これらの下段に配設される下球皿Ｆおよびパチンコ球を遊技盤１０に打出す打球発射装置Ｈ等が配設される。また、前記中枠Ｂの後側には、前記パチンコ球が流通する球通路部(図示せず)が形成されると共に、パチンコ機Ｐを構成する各部を制御する多数の制御装置(図示せず)を配設した機構セット盤Ｇ(図３または図５参照)等が夫々装備されている。
【００１２】
ここで、前記前枠２２は、全体が合成樹脂成形されて、図３に示すように、前記中枠Ｂの左側部に位置するヒンジ機構１８を介して開閉自在に枢支されると共に、該前枠２２に形成した開口部２２ａに前記ガラス板Ｄが組み付けられて、当該前枠２２を閉成した際に、前記遊技盤１０の遊技領域１１を前面側から視認し得るよう構成される。また、前記前枠２２には、ＬＥＤ等からなる発光体を実装した発光体基板(電気部品)２３と、該発光体基板２３から導出した中継用配線(図示せず)が接続された中継端子板２７とが配設されている。そして、前記中継端子板２７に接続した第２の配線２８が、後述するランプ制御装置(制御装置)２０に接続した第１の配線２１に接続されて、発光体基板２３をランプ制御装置２０に電気的に接続するようになっている。なお、前記発光体基板２３は、前記前枠２２の左右の上方位置に配設した第１の発光体基板２４,２４と、これら左右の第１の発光体基板２４,２４の間に配設した第２の発光体基板２５とからなり、該第１および第２の発光体基板２４,２５の前側を光透過性のランプカバー２６で被覆するよう構成してある。
【００１３】
図２に示すように、前記遊技盤１０は、前記中枠Ｂに前後に開口するよう開設した遊技盤保持部１５に前側から収容し得るよう構成されると共に、保持具１５ａを介して着脱自在に保持されており、遊技盤１０の前面に、遊技内容に合わせた所要の絵柄等が描かれると共に後述の盤面飾り部材３０が配設されて、当該パチンコ機Ｐの演出内容に合わせた装飾が施されている。前記遊技盤１０の前面には、円形状に湾曲形成したレール１２により遊技領域１１が画成されており、該遊技領域１１の縦央やや下部に、パチンコ球をスイッチで検出し得る始動入賞具１３が配設される。また、前記始動入賞具１３の直上方には、遊技盤１０を装飾する装飾部材１６が配設され、該装飾部材１６に開設した可視表示部１６ａに、各種図柄を可変表示して所要の遊技演出を行なう図柄表示装置Ｋが後方から臨んでいる。更に、前記始動入賞具１３の直下方には、大型電動式の入賞装置Ｍ等が配設されると共に、前記遊技領域１１の両側部には、発光により遊技盤１０を装飾する電飾装置１７,１７が配設されている。なお、前記遊技盤１０における左上方の隅部は、所定範囲に亘って切り欠いた挿通部１０ａが形成され、該挿通部１０ａの前側に前記盤面飾り部材３０に形成された後述の中継接続部３４が位置するよう構成してある。また、本実施例の遊技盤１０は、左右方向の幅寸法が略４５ｃｍに設定されて、左右方向の幅寸法が略３９cmに設定された従来の遊技盤１０に較べて全体的に大型化している。すなわち、前記中枠Ｂに占める遊技盤保持部１５の割合が大きくなると共に、該中枠Ｂの側部の肉厚Ｘ(図５参照)が薄くなっている。
【００１４】
図５に示すように、前記装飾部材１６の可視表示部１６ａに臨む前記図柄表示装置Ｋは、略矩形箱状に形成されたケース体１９に収容した液晶表示装置と、該液晶表示装置を制御する表示制御装置(何れも図示せず)とから構成されて、該ケース体１９を前記遊技盤１０の裏面に着脱可能に配置するよう構成してある。また、前記ケース体１９の後面には、前記前枠２２に設けた前記発光体基板２３や、前記遊技盤１０に設けた前記電飾装置１７の発光を制御するランプ制御装置２０が取り付けられており、該ランプ制御装置２０の制御に基づいて、発光体基板２３および電飾装置１７の夫々が点灯するようになっている。なお、前記ランプ制御装置２０の左側部から、前記中継端子板２７(発光体基板２３)に接続される前記第１の配線２１が導出されている。なお、前記図柄表示装置Ｋと、前記ランプ制御装置２０とは、一般的にパチンコ機Ｐ毎に設定した演出内容が組み込まれるものである。すなわち、パチンコ機Ｐの演出内容を変更する際に交換する必要がある前記遊技盤１０を交換するだけで、該遊技盤１０に取り付けた前記図柄表示装置Ｋ、および該図柄表示装置Ｋに取り付けた前記ランプ制御装置２０の夫々も交換し得るよう構成してある。
【００１５】
ところで、前記遊技盤１０の前面に配設される前記盤面飾り部材３０は、図１または図２に示すように、前記遊技領域１１の外周側に配設されて、前面側に所要の凹凸状の意匠を施してある。なお、前記盤面飾り部材３０は、前記遊技盤１０の左側部側を装飾する左飾り部材３１と、該遊技盤１０の右側部側を装飾する右飾り部材３２とから構成される。前記ヒンジ機構１８の配設側に近接する前記左飾り部材３１の左端縁側には、上下の端部から所要距離だけ中央側に向けて延在して、右方向に切り欠かれた凹部３１ａ,３１ａが形成されており、該凹部３１ａ,３１ａに前記遊技盤１０の左側部を保持する保持具１５ａが位置すると共に、該遊技盤１０を保持した際に前記中枠Ｂ(遊技盤保持部１５)の左側部(ヒンジ機構１８を配設した側部)との間に所要の空間３３を画成するようになっている。そして、前記左飾り部材３１における前記遊技盤１０に形成した前記挿通部１０ａに臨む位置には、前記ランプ制御装置２０に接続した第１の配線２１と、前記前枠２２の中継端子板２７に接続した前記第２の配線２８とを接続する中継接続部３４を設けてある。
【００１６】
前記中継接続部３４は、図１、図３〜図５に示すように、前記左飾り部材３１の前面から後方に向けて凹む段部３５と、該段部３５の後面から更に後方に凹むよう形成された接続部３６とから構成される。また、前記接続部３６の後面には、前後に貫通して前記第１の配線２１の先端部に取り付けたコネクタ受部(コネクタ)２１ａを後方から挿脱可能な装着孔３６ａが開設されており、常には該コネクタ受部２１ａに設けた係合部２１ｂが該装着孔３６ａに係合して所定位置に固定されている(図３参照)。なお、前記コネクタ受部２１ａを前記装着孔３６ａに固定した際に、該コネクタ受部２１ａが前方を指向するよう構成してある。すなわち、前記第１の配線２１のコネクタ受部２１ａに対して、前記第２の配線２８の先端部に取り付けたコネクタ差込部(コネクタ)２８ａを前側から着脱し得るよう構成され、該コネクタ差込部２８ａをコネクタ受部２１ａに差し込むことで、前記ランプ制御装置２０と発光体基板２３とが電気的に接続される。
【００１７】
また、前記左飾り部材３１の左側部における前記段部３５(中継接続部３４)に対応する位置には、第１切欠部３１ｂが形成され、該第１切欠部３１ｂを介して該段部３５が左方向に開口して、前記中枠Ｂと左飾り部材３１との間の空間３３と該中継接続部３４が連通するようになっている。すなわち、前記中継接続部３４の前側を、後述するカバー部材４１で被覆した状態では、前記第１の配線２１のコネクタ受部２１ａに接続した前記第２の配線２８は、前記第１切欠部３１ｂを通って前記中継端子板２７に接続されて、前記前枠２２を前記中枠Ｂに対して閉成した状態では、前記空間３３に第２の配線２８が収容されるよう構成される。
【００１８】
一方、前記左飾り部材３１における前記段部３５に対応する位置には、第２切欠部３１ｃが形成されており、該第２切欠部３１ｃを介して当該段部３５が上方向に開口するようになっている(図４参照)。また、前記左飾り部材３１(段部３５)の左上端部には、前記カバー部材４１を支持する支持台３７が形成されており、該支持台３７の右側部には、前後方向に延在する溝部３７ａを形成してある。更にまた、前記段部３５における右上方位置には、前記第２切欠部３１ｃに臨む位置に左右方向に所要間隔離間して前側に向けて突出する一対の支持片３８,３８が形成されて、両支持片３８,３８の前端部を連結する軸部３８ａに前記カバー部材４１が軸支されている。なお、前記段部３５の下部を画成する部位には、前記カバー部材４１の係合フック４３と係合可能な係合孔３９を形成してある。
【００１９】
前記カバー部材４１は、前記中継接続部３４の略全体を被覆する平板状に形成され、その前面側には、前記左飾り部材３１の前面に施した意匠に合わせた凹凸状の意匠が施されて、該カバー部材４１で中継接続部３４を被覆した際に、盤面飾り部材３０の前面側の意匠を統一感のあるものとすることができ、違和感が生じ難くなっている。また、前記カバー部材４１の裏面における右上方位置には、左右方向に延在する一対の係合片４２,４２が上下方向に離間して形成されており(図１および図５に上方に位置する係合片４２のみ図示)、両係合片４２,４２の間に前記軸部３８ａが嵌合するよう構成される。更に、前記カバー部材４１の左側部には、前記支持台３７の溝部３７ａに挿入し得る突部(図示せず)を形成してある。すなわち、前記突部を前記溝部３７ａに挿通した状態で、前記軸部３８ａを前記両係合片４２,４２の間に嵌合することにより、前記カバー部材４１が該軸部３８ａを中心に回動し得るようになっている。
【００２０】
また、前記カバー部材４１の下端部には、上下方向に弾性変形可能で、前記左飾り部材３１の係合孔３９に係脱自在に係合し得る係合フック４３が形成されている。すなわち、前記カバー部材４１を回動して前記中継接続部３４の前側を被覆した際に、前記係合フック４３が前記係合孔３９に係合し、該カバー部材４１の回動が規制されると共に、この状態で該係合フック４３を上方に弾性変形することにより、該係合孔３９との係合が解除されてカバー部材４１を回動して前記中継接続部３４を開放し得るようになっている。
【００２１】
(実施例の作用)
次に、前述の如く形成した遊技機の作用につき説明する。前記遊技盤１０における左上方の隅部に前記挿通部１０ａを設け、該遊技盤１０の前面に配設した左飾り部材３１に形成した前記中継接続部３４が、該挿通部１０ａに臨むよう構成したことで、遊技盤１０の裏側に位置する前記ランプ制御装置２０に接続した前記第１の配線２１のコネクタ受部２１ａを、前記中継接続部３４の装着孔３６ａに後方から取り付け得る。また、前記第１の配線２１のコネクタ受部２１ａを前記装着孔３６ａに固定した状態で、該コネクタ受部２１ａが前面に露出するよう構成したので、前記遊技盤１０の前側に配置された前記前枠２２の中継端子板２７(発光体基板２３)に接続した前記第２の配線２８のコネクタ差込部２８ａを、当該コネクタ受部２１ａに対して前側から差し込むことで、ランプ制御装置２０と中継端子板２７(発光体基板２３)とを電気的に接続することができる。
【００２２】
すなわち、前記第１の配線２１のコネクタ受部２１ａに、前記第２の配線２８のコネクタ差込部２８ａを前側から差し込むだけで、前記ランプ制御装置２０と発光体基板２３とを電気的に接続し得るから、従来のように遊技盤の前側に臨む前枠２２に配設された電気部品に接続した配線を、中枠の側部に挿通口を介して遊技盤の裏側に引き出して制御装置に接続しなくて済み、ランプ制御装置２０と発光体基板２３との接続作業が簡略化される。また、前記中枠Ｂに前記第２の配線２８を挿通する挿通口を形成しないので、該中枠Ｂの強度が低下することはなく、実施例の如く遊技盤１０を大型化して、中枠Ｂに対する遊技盤１０が取り付けられる遊技盤保持部１５の占める割合が増大した場合であっても、当該中枠Ｂが必要な強度を維持して歪みや損傷等の不具合が生ずるのは防止し得る。
【００２３】
ところで、前記中継接続部３４は、前記遊技盤１０の左側部に位置する前記左飾り部材３１に形成されており、図２または図５に示すように、前記前枠２２を中枠Ｂに回動可能に枢支する前記ヒンジ機構１８の配設位置より所要距離だけ内側に位置するようになっている。このように、前記中継接続部３４を前記ヒンジ機構１８の配設位置から離間して設けることにより、前記前枠２２の中継端子板２７と遊技盤１０の中継接続部３４とを接続する前記第２の配線２８も該ヒンジ機構１８から離間させ得るので、該前枠２２を開閉する際に前枠２２と中枠Ｂとの間に第２の配線２８が挟み込まれるのは防止される。すなわち、前記第２の配線２８が断線し難くなるので、前記発光体基板２３の点灯不良等により遊技の興趣を損なうことはない。
【００２４】
また、前記第２の配線２８は、前記中継接続部３４から左方向に開口する前記第１切欠部３１ｂを通すよう構成してあるから、該第２の配線２８は、該第１切欠部３１から左方向に遊技盤１０に沿って延出すると共に、該遊技盤１０の前側に位置する前記前枠２２に向けて湾曲するようになる。すなわち、図５に示すように、常に前記第２の配線２８を一定方向に撓んだ状態に維持し得るから、前記前枠２２を開閉するに際して第２の配線２８は所定方向にだけ可撓される。従って、前記前枠２２の開閉時に、前記第２の配線２８が絡まったり、該第２の配線２８が該前枠２２の開閉動作を阻害するのは防止し得る。更に、前記前枠２２を開閉する際に、前記中枠Ｂと左飾り部材３１との間に画成される前記空間３３に前記第２の配線２８が収容されるようにしたから、該前枠２２と中枠Ｂとの間に第２の配線２８が挟み込まれるのは確実に防止することができる。
【００２５】
そして、パチンコ機Ｐの遊技内容を変更する場合には、当該パチンコ機Ｐの遊技内容に関連した装飾がなされた前記遊技盤１０を交換すると共に、当該パチンコ機Ｐに固有の遊技内容を組み込んだ前記図柄表示装置Ｋおよびランプ制御装置２０を交換する必要がある。ここで、前記遊技盤１０に前記図柄表示装置Ｋを取り付けると共に、該図柄表示装置Ｋの裏側に前記ランプ制御装置２０を配設してあるので、該遊技盤１０を交換すればこれら各装置Ｋ,２０も変更することができる。しかしながら、従来のパチンコ機の構成では、前記〔背景技術〕において述べたように、前記ランプ制御装置２０に接続した第１の配線２１と、中継端子板２７(発光体基板２３)に接続した第２の配線２８の夫々を、前記機構セット盤Ｇに設けた中継基板に接続することになる。従って、前記遊技盤１０を交換するに際しては、中枠Ｂを外枠Ａに対して開放して、前記第１および第２の配線２１,２８と中継基板との接続を解除すると共に、前枠２２を開放して中枠Ｂの前側から保持具１５ａを解除して遊技盤１０を取り外す必要があり、非常に煩雑で時間が掛かる作業となっていた。
【００２６】
これに対して本実施例のパチンコ機Ｐでは、前記ランプ制御装置２０に接続した前記第１の配線２１は、前記遊技盤１０に設けた前記中継接続部３４に直接接続されるから、該遊技盤１０を交換するに際して、該第１の配線２１を取り外す必要がない。従って、前記中継接続部３４で前記第１の配線２１のコネクタ受部２１ａから前記第２の配線２８のコネクタ差込部２８ａを取り外すと共に、前記保持具１５ａを解除すれば、遊技盤１０を取り外すことができる。すなわち、前記遊技盤１０(中枠Ｂ)の前側からの作業のみで該遊技盤１０を交換して遊技内容を変更することができるから、作業を簡略化して短時間で作業を完了し得る。
【００２７】
また、前記中継接続部３４を前記左飾り部材３１の前面から後方に凹むよう形成したことで、前記第１の配線２１と第２の配線２８との接続部位が、該左飾り部材３１の前側に突出するのは防止され、パチンコ機Ｐの外観を損なうことはない。更に、前記中継接続部３４の前側に配設した前記カバー部材４１により、第１の配線２１と第２の配線２８との接続部位を被覆するようにしたから、パチンコ機Ｐの機械的構造が遊技者から見えないようにでき、遊技者の興趣を低減するのは防止し得る。更に、前記カバー部材４１の前面に、前記左飾り部材３１の意匠に合わせた意匠を施すようにしたから、該カバー部材４１を取り付けた状態で遊技者に違和感を与えることはなく、遊技盤１０の装飾性を向上できる。そして、前記カバー部材４１の係合フック４３と左飾り部材３１の係合孔３９との係合を解除するだけで前記中継接続部３４を露出できるので、前記第１の配線２１と第２の配線２８との着脱作業を阻害することはない。また、単に前記係合フック４３を上方に弾性変形するだけで前記係合孔３９との係合を解除することができるから、該カバー部材４１をネジ止め等した場合のように新たに工具を必要とせず、作業を簡単に行なうことができる。
【００２８】
(変更例)
なお、本発明に係る遊技機としては、実施例のものに限られず種々の変更が可能である。例えば、中継接続部に第１の配線を固定し、該第１の配線に対して第２の配線を着脱し得る構成に限らず、該中継接続部に中継コネクタを設け、該中継コネクタに対して、第１の配線を遊技盤の裏側から接続すると共に、第２の配線を遊技盤の前側から接続するよう構成しても、実施例と同様の作用効果を得ることができる。また、実施例では、遊技盤の裏側に位置するランプ制御装置に接続した配線を、前記中継接続部に接続するよう構成したが、これに限らず、機構セット盤や中枠の裏側に配設された制御装置に接続した配線を該中継接続部に接続するようにしてもよい。この場合にも、中枠に挿通口を形成することなく、前枠の電気部品に接続した第２の配線を、前記中継接続部の前側から着脱することができ、作業負担の軽減を図り得ると共に、中枠の強度低下を防止し得る。
【００２９】
また、前枠に配設する電気部品としては、実施例のように発光体基板に限られるものではなく、スピーカを配設するようにしてもよく、電気的に作動する部品であれば任意の部品を採用でき、該電気部品に対応して制御装置を前記中継接続部で電気的に接続するようにすればよい。更に、実施例では、前記中継接続部を遊技盤の左上方位置に形成するようにしたが、左下方位置に形成することもできる。更にまた、ヒンジ機構を中枠の右側部に設けた場合には、中継接続部も遊技盤の右側に形成するようにしてもよい。このように、前記中継接続部を、前記遊技盤における前記遊技領域の外周側で、かつ前枠を枢支するヒンジ機構の形成側に形成することで、第２の配線を短くして該配線の取り回しが簡単になり、更にコスト的な観点からもより好ましいが、中継接続部をヒンジ機構の形成側と反対側に形成することも可能である。また、実施例では、遊技盤の前面に設けた盤面飾り部材に中継接続部を形成したが、該中継接続部を遊技盤の盤面に直接形成することも可能である。
【００３０】
なお、前記中継接続部の形状に関しても、実施例のものに限られるものではなく、遊技盤裏側に臨む第１の配線と、遊技盤前側に臨む第２の配線とを電気的に接続し得る形状および構成であれば、任意に決定することが可能である。また、遊技機としては、パチンコ機に限られるものではなく、アレンジボール機等であってもよく、遊技盤の前側に電気部品を備えると共に、遊技盤の裏側に制御装置を備えた遊技機であれば、何れの遊技機でもよい。
【図面の簡単な説明】
【００３１】
【図１】本発明の実施例に係る左飾り部材を遊技盤に取り付けた状態で該遊技盤を縦断して示す斜視図である。
【図２】本実施例に係る前枠を開放した状態で示すパチンコ機の正面図である。
【図３】本実施例に係る前枠を開放した状態におけるパチンコ機の上部位置を示す縦断側面図である。
【図４】本実施例に係る中継接続部を示す斜視図である。
【図５】本実施例に係る前枠を開放した状態で示すパチンコ機の横断平面図である。
【符号の説明】
【００３２】
１０  遊技盤
１１  遊技領域
１５  遊技盤保持部(保持部)
１８  ヒンジ機構
２０  ランプ制御装置(制御装置)
２１  第１の配線
２１ａ  コネクタ受部(コネクタ)
２２  前枠
２３  発光体基板(電気部品)
２８  第２の配線
２８ａ  コネクタ差込部(コネクタ)
３０  盤面飾り部材
３４  中継接続部
４１  カバー部材
Ｂ  中枠
【図１】
2005052500.tif 000003
【図２】
2005052500.tif 000004
【図３】
2005052500.tif 000005
【図４】
2005052500.tif 000006
【図５】
2005052500.tif 000007